【手続補正書】
【提出日】平成27年12月10日(2015.12.10)
【手続補正１】
【補正対象書類名】特許請求の範囲
【補正対象項目名】全文
【補正方法】変更
【補正の内容】
【特許請求の範囲】
【請求項１】
可変表示を行い、遊技者にとって有利な有利状態に制御可能であるとともに、所定の移行条件が成立したときに前記有利状態に制御されやすい特別状態に制御可能な遊技機であって、
前記有利状態とするか否かと前記所定の移行条件を成立させるか否かとを決定する事前決定手段と、
前記有利状態に制御されているときに、前記事前決定手段によって前記所定の移行条件を成立させると決定されたか否かを報知する有利状態中報知演出を実行する有利状態中報知演出実行手段とを備え、
前記有利状態中報知演出実行手段は、前記有利状態中報知演出として表示装置の表示画面の前面を覆う位置まで可動部材を動作させる演出を実行することにより、前記事前決定手段によって前記所定の移行条件を成立させると決定されたか否かを報知する
ことを特徴とする遊技機。
【手続補正２】
【補正対象書類名】明細書
【補正対象項目名】０００１
【補正方法】変更
【補正の内容】
【０００１】
本発明は、可変表示を行い、遊技者にとって有利な有利状態に制御可能であるとともに、所定の移行条件が成立したときに有利状態に制御されやすい特別状態に制御可能な遊技機に関する。
【手続補正３】
【補正対象書類名】明細書
【補正対象項目名】０００６
【補正方法】変更
【補正の内容】
【０００６】
また、そのような遊技機では、可変表示結果として特定表示結果（大当り図柄）が表示されて大当りが発生しても、大当り遊技終了後に特別状態に移行されるか否かについて直ちには認識不能にして、大当り遊技中や大当り遊技終了時に特別状態となることを報知（有利状態中報知演出などを実行）するように構成されたものがある。例えば、特許文献１には、大当り遊技中や大当り遊技終了時のエンディングにおいて有利状態中報知演出など（例えば、確変昇格演出）を実行する遊技機が記載されている。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】変更
【補正の内容】
【０００９】
本発明は、有利状態中報知演出を実行可能に構成した遊技機において、表示装置の表示画面の前面を覆う位置まで可動部材を動作させる演出を実行することにより、所定の移行条件を成立させると決定されたか否かを報知することができるようにすることを目的とする。
【手続補正６】
【補正対象書類名】明細書
【補正対象項目名】００１０
【補正方法】変更
【補正の内容】
【００１０】
本発明による遊技機は、可変表示を行い、遊技者にとって有利な有利状態（例えば、大当り遊技状態）に制御可能であるとともに、所定の移行条件が成立した（例えば、確変大当りとなった）ときに有利状態に制御されやすい特別状態（例えば、確変状態）に制御可能な遊技機であって、有利状態とするか否かと所定の移行条件を成立させるか否かとを決定する事前決定手段（例えば、遊技制御用マイクロコンピュータ５６０におけるステップＳ５６〜Ｓ６３を実行する部分）と、有利状態に制御されているときに、事前決定手段によって所定の移行条件を成立させると決定されたか否かを報知する有利状態中報知演出（例えば、確変昇格演出）を実行する有利状態中報知演出実行手段（例えば、演出制御用マイクロコンピュータ１００におけるステップＳ１９１３〜Ｓ１９２０を実行する部分。ステップＳ１９０５〜Ｓ１９０９，Ｓ１９７４〜Ｓ１９７８を実行した後に、ステップＳ１９０４，Ｓ１９７３を実行する部分）とを備え、有利状態中報知演出実行手段は、有利状態中報知演出として表示装置の表示画面の前面を覆う位置まで可動部材を動作させる演出を実行することにより、事前決定手段によって所定の移行条件を成立させると決定されたか否かを報知することを特徴とする。そのような構成により、有利状態中報知演出を実行可能に構成した遊技機において、表示装置の表示画面の前面を覆う位置まで可動部材を動作させる演出を実行することにより、所定の移行条件を成立させると決定されたか否かを報知することができる。
【手続補正７】
【補正対象書類名】明細書
【補正対象項目名】００１１
【補正方法】変更
【補正の内容】
【００１１】
遊技機は、有利状態が終了するときに、該有利状態が終了することを報知する有利状態終了報知演出（例えば、エンディング演出）を実行する終了報知演出実行手段（例えば、演出制御用マイクロコンピュータ１００におけるステップＳ９７４を実行する部分）を備え、終了報知演出実行手段は、事前決定手段によって所定の移行条件を成立させると決定されていることを条件に、演出選択手段によって選択された第２有利状態中報知演出の実行タイミングよりも早いタイミングで有利状態を終了するときには、有利状態終了報知演出として、事前決定手段によって所定の移行条件を成立させると決定されたことの報知を含む演出（例えば、エンディング昇格演出）を実行する（例えば、演出制御用マイクロコンピュータ１００は、ステップＳ１９３２でＹと判定しステッＳ１９３３でＮと判定したときに、ステップＳ１９３４でエンディング昇格演出用のエンディング演出に応じたプロセスデータを選択し、ステップＳ９７４を実行する）ように構成されていてもよい。そのような構成によれば、第２有利状態中報知演出が選択された場合に、有利状態が先に終わって第２有利状態中報知演出を実行できなかった場合であっても、有利状態の終了時に事前決定手段によって所定の移行条件を成立させると決定されたことの報知を行うことができる。従って、事前決定手段によって所定の移行条件を成立させると決定されたことを報知できなくなる事態を防止することができ、遊技に対する興趣を向上させることができる。
【手続補正８】
【補正対象書類名】明細書
【補正対象項目名】００１２
【補正方法】変更
【補正の内容】
【００１２】
演出選択手段は、第２有利状態中報知演出の実行タイミングとして、有利状態における第１経過時間（例えば、３分（１８０ｓ）以上の時間）と該第１経過時間より短い第２経過時間（例えば、３分（１８０ｓ）より短い時間）とを選択可能であり、第１経過時間と比較して高い割合で第２経過時間を選択する（例えば、演出制御用マイクロコンピュータ１００は、ステップＳ２３２２において、図３０に示すように、３分以上の昇格タイミングが設定されたキャラクタ昇格演出パターン１４，１５と比較して、３分より短い昇格タイミングが設定されたキャラクタ昇格演出パターン１〜１３を高い割合で選択する）ように構成されていてもよい。そのような構成によれば、第２有利状態中報知演出が早く実行される割合を高めることによって、有利状態が先に終わって第２有利状態中報知演出を実行できなくなる可能性を低減させることができ、遊技に対する興趣を向上させることができる。
【手続補正９】
【補正対象書類名】明細書
【補正対象項目名】００１３
【補正方法】変更
【補正の内容】
【００１３】
事前決定手段は、有利状態とすると決定するときに、ラウンド回数が異なる複数種類の有利状態のうちのいずれの有利状態とするかを決定し（例えば、遊技制御用マイクロコンピュータ５６０は、ステップＳ６３において、１５Ｒ確変大当りと決定する場合と１６Ｒ確変大当りと決定する場合とがある）、演出選択手段は、事前決定手段によっていずれの有利状態とすると決定されたかに応じて、異なる割合で第１有利状態中報知演出と第２有利状態中報知演出とのいずれを実行するかを選択する（例えば、演出制御用マイクロコンピュータ１００は、ステップＳ２３１４において、確変大当り１（１５Ｒ確変大当り）の場合には、図２６（Ｅ）の２回以降時確変大当り１用確変昇格演出決定テーブルを用いて、役物昇格演出だけでなく、確変昇格演出パターン３を決定して、キャラクタ昇格演出を実行することに決定する場合がある。これに対して、確変大当り３（１６Ｒ確変大当り）の場合には、図２６（Ｃ），（Ｆ）の確変大当り３用確変昇格演出決定テーブルに示すように、確変昇格演出パターン６を決定して、役物昇格演出を実行することに決定する場合しかない）ように構成されていてもよい。そのような構成によれば、有利状態中報知演出が実行されることによって、特別状態に制御されることに対する期待感だけでなく、遊技価値の大きい（ラウンド回数の多い）有利状態に対する期待感も向上させることができ、遊技に対する興趣を向上させることができる。
【手続補正１０】
【補正対象書類名】明細書
【補正対象項目名】００１４
【補正方法】変更
【補正の内容】
【００１４】
演出選択手段は、第１有利状態中報知演出または第２有利状態中報知演出のうちのいずれか一方のみを選択可能である（例えば、演出制御用マイクロコンピュータ１００は、ステップＳ２３１４において、図２５に示すいずれかの確変昇格演出パターン１〜６を決定し、いずれの確変昇格演出パターン１〜６においても、役物昇格演出とキャラクタ昇格演出とが両方設定されている場合はない）ように構成されていてもよい。そのような構成によれば、同じ有利状態中に実行タイミングの異なる２種類の有利状態中報知演出が重複して実行される事態を防止することができ、遊技に対する興趣が低下してしまう事態を防止することができる。
【手続補正１１】
【補正対象書類名】明細書
【補正対象項目名】００１５
【補正方法】変更
【補正の内容】
【００１５】
遊技機は、遊技者が操作可能な操作手段（例えば、操作ボタン１２０）と、有利状態が終了するときに、該有利状態が終了することを報知する有利状態終了報知演出（例えば、エンディング演出）を実行する終了報知演出実行手段（例えば、演出制御用マイクロコンピュータ１００におけるステップＳ９７４を実行する部分）と、を備え、有利状態中報知演出実行手段は、事前決定手段によって所定の移行条件を成立させると決定されていることを条件に、有利状態中報知演出において、操作手段に対する操作回数が所定の報知条件を満たしたこと（例えば、操作回数がトリガー操作回数に達したこと）にもとづいて、事前決定手段によって所定の移行条件を成立させると決定されたことを報知し（例えば、演出制御用マイクロコンピュータ１００は、ステップＳ１９１９でＹのときにステップＳ１９２０を実行する）、終了報知演出実行手段は、事前決定手段によって所定の移行条件を成立させると決定されていることを条件に、有利状態中報知演出において所定の報知条件が満たされなかった場合には、有利状態終了報知演出において、事前決定手段によって所定の移行条件を成立させると決定されたことの報知を含む演出を実行し（例えば、演出制御用マイクロコンピュータ１００は、ステップＳ１９３０でＹと判定しステッＳ１９３１でＮと判定したときに、ステップＳ１９３４でエンディング昇格演出用のエンディング演出に応じたプロセスデータを選択し、ステップＳ９７４を実行する）、有利状態中報知演出において、所定回数操作手段に対する操作がなされたときに、所定の報知条件が満たされなかった場合に、有利状態終了報知演出において事前決定手段によって所定の移行条件を成立させると決定されたことの報知を含む演出が実行される割合が、有利状態に制御された回数に応じて異なる（例えば、図１０に示すように、初回の大当りとなる場合と比較して、２回目以降に大当りとなる場合には直当りとなる確変大当り２の選択割合を高くすることによって、２回目以降に大当りとなる場合における確変昇格演出の割合を低くし、結果として、役物昇格演出において確変報知を行わなかった場合にエンディング昇格演出が実行されて確変大当りであることが報知される割合が、大当り遊技状態に制御された回数に応じて異なる）ように構成されていてもよい。そのような構成によれば、有利状態中報知演出に対する遊技者の参加意欲を高めることができ、遊技に対する興趣を向上させることができる。
【手続補正１２】
【補正対象書類名】明細書
【補正対象項目名】００１６
【補正方法】変更
【補正の内容】
【００１６】
有利状態中報知演出実行手段は、有利状態に制御された回数に応じて異なる割合で、有利状態中報知演出において、事前決定手段によって所定の移行条件を成立させると決定されたことを報知する（例えば、図１０に示すように、初回の大当りとなる場合と比較して、２回目以降に大当りとなる場合には直当りとなる確変大当り２の選択割合を高くすることによって、２回目以降に大当りとなる場合における確変昇格演出の割合を低くする）ように構成されていてもよい。そのような構成によれば、遊技を長時間継続している場合に、飽きを感じて関心を失ってしまうような事態を防止することができ、遊技に対する興趣を向上させることができる。